(57)【要約】      （修正有）【訣題】おむつ離れのトイレトレーニングに良好なトイレトレーニング用シートを提供する。【解決手段】トイレトレーニング用シートは、複数のシート体１を容易に切断可能な連結部１ａを介して接続されたトイレトレーニング用シートであって、シート体１は、文字、図形、記号、模様又はこれらを組み合わせて表示された表示部を有する水溶解性のシート１Ａと、この水溶解性のシート１Ａの前記表示部を覆う水溶解性の薄葉紙１Ｂとを備える。複数のシート体１の内、前記表示部で表示された表示形態の種類は、少なくとも、第１の表示形態と第２の表示形態の２種類の表示形態を有し、連結部１ａを介して接続された複数のシート体１の配列は、前記第１の表示形態を有するシート体１、前記第２の表示形態を有するシート体１、前記第１の表示形態を有するシート体１、前記第２の表示形態を有するシート体１、・・・の繰り返しで接続して、構成する。【選択図】図４
0003151885.tif 000002
【実用新案登録請求の範囲】
【請求項１】
複数のシート体を容易に切断可能な連結部を介して接続されたトイレトレーニング用シートであって、
前記シート体は、文字、図形、記号、模様又はこれらを組み合わせて表示された表示部を有する水溶解性のシートと、この水溶解性のシートの前記表示部を覆う水溶解性の薄葉紙とを備えており、
前記複数のシート体の内、前記表示部で表示された表示形態の種類は、少なくとも、第１の表示形態と第２の表示形態の２種類の表示形態を有し、
前記連結部を介して接続された前記複数のシート体の配列は、前記第１の表示形態を有する前記シート体、前記第２の表示形態を有する前記シート体、前記第１の表示形態を有する前記シート体、前記第２の表示形態を有する前記シート体、・・・の繰り返しで接続されている
ことを特徴とするトイレトレーニング用シート。           
【請求項２】
複数のシート体を容易に切断可能な連結部を介して接続されたトイレトレーニング用シートであって、
前記シート体は、文字、図形、記号、模様又はこれらを組み合わせて表示された表示部を有する水溶解性のシートと、この水溶解性のシートの前記表示部を覆う水溶解性の薄葉紙とを備えており、
前記複数のシート体の内、前記表示部で表示された表示形態の種類は、第１の表示形態、・・・・第Ｎの表示形態のＮ（Ｎ≧２）種類の表示形態を有し、
前記連結部を介して接続された前記複数のシート体の配列は、前記第１の表示形態を有する前記シート体、・・・・前記第Ｎの表示形態を有する前記シート体、前記第１の表示形態を有する前記シート体、・・・・前記第Ｎの表示形態を有する前記シート体、前記第１の表示形態を有する前記シート体、・・・・前記第Ｎの表示形態を有する前記シート体、・・・の繰り返しで接続されている
ことを特徴とするトイレトレーニング用シート。
【請求項３】
容易に切断可能な連結部は、切り取りミシン目である
ことを特徴とする請求項１又は請求項２記載のトイレトレーニング用シート。
【請求項４】
請求項１又は請求項２記載のトイレトレーニング用シートを収納する収納体と、
この収納体において、前記トイレトレーニング用シートは連結部を介して折り曲げられて積層し、
前記収納体には、前記トイレトレーニング用シートを取り出す開口部が設けられている
ことを特徴とするトイレトレーニング用シートの収納体。
【請求項５】
シート体の表側の上下の区別を示すために、収納体に前記シート体の表側の上下の区別を示す表示を施した
ことを特徴とする請求項４記載のトイレトレーニング用シートの収納体。
【請求項６】
シート体の表側が無地で、前記シート体の裏側は、文字、図形、記号、模様又はこれらを組み合わせた表示がなされ、
前記シート体の外形形状は、使用者から見て上下非対称の図形であり、
前記シート体の表側の上下の区別を示すために、収納体に前記シート体の表側の上下の区別を示す表示を施した
ことを特徴とする請求項４記載のトイレトレーニング用シートの収納体。
【考案の詳細な説明】
【技術分野】
【０００１】
本考案は、トイレトレーニング用シート及びトイレトレーニング用シートの収納体に係り、特に、おむつ離れのトイレトレーニングに良好なトイレトレーニング用シート及びトイレトレーニング用シートの収納体に関する。
【背景技術】
【０００２】
おむつ離れの時期にトイレでおしっこの習慣を行うものとして、吸収性積層シートがある（例えば、特許文献１参照）。
これは、予め内層に絵柄が描かれていて、乾いた状態では絵柄が見えないが、濡れるとその絵柄が浮き出てくるようにしたものである。
【先行技術文献】
【特許文献】
【０００３】
【特許文献１】登録実用新案公報第３０６９７１４号
【考案の概要】
【考案が解決しようとする課題】
【０００４】
しかしながら、上記の吸収性積層シートにあっては、シートが個別にカットされているため、浮き出てくる柄を替えようとした場合、複数の柄違いのシートを順番を変えてセットしなければならず、商品の包装に手間が掛かる上、乾いた状態では柄が見えないので、柄を取り違える等の不都合があった。
【０００５】
本考案は、上記の点を考慮してなされたトイレトレーニング用シート及びトイレトレーニング用シートの収納体を提供することを目的とする。
【課題を解決するための手段】
【０００６】
請求項１記載のトイレトレーニング用シートは、複数のシート体を容易に切断可能な連結部を介して接続されたトイレトレーニング用シートであって、前記シート体は、文字、図形、記号、模様又はこれらを組み合わせて表示された表示部を有する水溶解性のシートと、この水溶解性のシートの前記表示部を覆う水溶解性の薄葉紙とを備えており、前記複数のシート体の内、前記表示部で表示された表示形態の種類は、少なくとも、第１の表示形態と第２の表示形態の２種類の表示形態を有し、前記連結部を介して接続された前記複数のシート体の配列は、前記第１の表示形態を有する前記シート体、前記第２の表示形態を有する前記シート体、前記第１の表示形態を有する前記シート体、前記第２の表示形態を有する前記シート体、・・・の繰り返しで接続されているものである。
【０００７】
また、請求項２記載のトイレトレーニング用シートは、複数のシート体を容易に切断可能な連結部を介して接続されたトイレトレーニング用シートであって、前記シート体は、文字、図形、記号、模様又はこれらを組み合わせて表示された表示部を有する水溶解性のシートと、この水溶解性のシートの前記表示部を覆う水溶解性の薄葉紙とを備えており、前記複数のシート体の内、前記表示部で表示された表示形態の種類は、第１の表示形態、・・・・第Ｎの表示形態のＮ（Ｎ≧２）種類の表示形態を有し、前記連結部を介して接続された前記複数のシート体の配列は、前記第１の表示形態を有する前記シート体、・・・・前記第Ｎの表示形態を有する前記シート体、前記第１の表示形態を有する前記シート体、・・・・前記第Ｎの表示形態を有する前記シート体、前記第１の表示形態を有する前記シート体、・・・・前記第Ｎの表示形態を有する前記シート体、・・・の繰り返しで接続されているものである。
【０００８】
また、請求項３記載のトイレトレーニング用シートは、請求項１又は請求項２記載のトイレトレーニング用シートにおいて、容易に切断可能な連結部は、切り取りミシン目である。
【０００９】
また、請求項４記載のトイレトレーニング用シートの収納体は、請求項１又は請求項２記載のトイレトレーニング用シートを収納する収納体と、この収納体において、前記トイレトレーニング用シートは連結部を介して折り曲げられて積層し、前記収納体には、前記トイレトレーニング用シートを取り出す開口部が設けられているものである。
【００１０】
また、請求項５記載のトイレトレーニング用シートの収納体は、請求項４記載のトイレトレーニング用シートの収納体において、シート体の表側の上下の区別を示すために、収納体に前記シート体の表側の上下の区別を示す表示を施したものである。
【００１１】
また、請求項６記載のトイレトレーニング用シートの収納体は、請求項４記載のトイレトレーニング用シートの収納体において、シート体の表側が無地で、前記シート体の裏側は、文字、図形、記号、模様又はこれらを組み合わせた表示がなされ、前記シート体の外形形状は、使用者から見て上下非対称の図形であり、前記シート体の表側の上下の区別を示すために、収納体に前記シート体の表側の上下の区別を示す表示を施したものである。
【考案の効果】
【００１２】
請求項１記載のトイレトレーニング用シートによれば、複数のシート体を容易に切断可能な連結部を介して接続されたトイレトレーニング用シートであって、前記シート体は、文字、図形、記号、模様又はこれらを組み合わせて表示された表示部を有する水溶解性のシートと、この水溶解性のシートの前記表示部を覆う水溶解性の薄葉紙とを備えており、前記複数のシート体の内、前記表示部で表示された表示形態の種類は、少なくとも、第１の表示形態と第２の表示形態の２種類の表示形態を有しているため、シート体の薄葉紙が濡れると、表示部に表示された内容が表れ、該内容は少なくとも２種類あり、マンネリ化せず、使用者の興味をそそり、おむつ離れのトイレトレーニングを良好にし、
しかも、連結部を介して接続された複数のシート体の配列は、第１の表示形態を有するシート体、第２の表示形態を有するシート体、第１の表示形態を有するシート体、第２の表示形態を有するシート体、・・・の繰り返しで接続されているため、順次、連結部を切り離して使用すれば、同じものが連続せず、使用者の興味の低下を防いで、おむつ離れのトイレトレーニングを良好にし、
更に、連結部を介して接続された複数のシート体の配列は、第１の表示形態を有するシート体、第２の表示形態を有するシート体、第１の表示形態を有するシート体、第２の表示形態を有するシート体、・・・の繰り返しで接続されているため、トイレトレーニング用シートを供給する側にとって、第１の表示形態を有するシート体の枚数と第２の表示形態を有するシート体の枚数とを間違えて供給することを防ぐことができる等の効果を有する。
【００１３】
また、請求項２記載のトイレトレーニング用シートによれば、複数のシート体を容易に切断可能な連結部を介して接続されたトイレトレーニング用シートであって、前記シート体は、文字、図形、記号、模様又はこれらを組み合わせて表示された表示部を有する水溶解性のシートと、この水溶解性のシートの前記表示部を覆う水溶解性の薄葉紙とを備えており、前記複数のシート体の内、前記表示部で表示された表示形態の種類は、第１の表示形態、・・・・第Ｎの表示形態のＮ（Ｎ≧２）種類の表示形態を有しているため、シート体の薄葉紙が濡れると、表示部に表示された内容が表れ、該内容はＮ（Ｎ≧２）種類あり、マンネリ化せず、使用者の興味をそそり、おむつ離れのトイレトレーニングを良好にし、
しかも、連結部を介して接続された複数のシート体の配列は、第１の表示形態を有する前記シート体、・・・・第Ｎの表示形態を有する前記シート体、前記第１の表示形態を有する前記シート体、・・・・前記第Ｎの表示形態を有する前記シート体、前記第１の表示形態を有する前記シート体、・・・・前記第Ｎの表示形態を有する前記シート体、・・・の繰り返しで接続されているため、順次、連結部を切り離して使用すれば、同じものが連続せず、使用者の興味の低下を防いで、おむつ離れのトイレトレーニングを良好にし、
更に、連結部を介して接続された複数のシート体の配列は、第１の表示形態を有する前記シート体、・・・・第Ｎの表示形態を有する前記シート体、前記第１の表示形態を有する前記シート体、・・・・前記第Ｎの表示形態を有する前記シート体、前記第１の表示形態を有する前記シート体、・・・・前記第Ｎの表示形態を有する前記シート体、・・・の繰り返しで接続されているため、トイレトレーニング用シートを供給する側にとって、第１の表示形態を有するシート体の枚数と、・・・・第Ｎの表示形態２の表示形態を有するシート体の枚数とを間違えて供給することを防ぐことができる等の効果を有する。
【００１４】
また、請求項４記載のトイレトレーニング用シートの収納体によれば、上述した請求項１又は請求項２記載の考案の効果に加え、収納部において、トイレトレーニング用シートは連結部を介して折り曲げられて積層しているため、トイレトレーニング用シートを効率良く収納することができる等の効果を有する。
【００１５】
また、請求項５記載のトイレトレーニング用シートの収納体によれば、上述した請求項５記載の考案の効果に加え、シート体の表側の上下の区別を示すために、収納体に前記シート体の表側の上下の区別を示す表示を施したため、シート体を適正な位置に置いて使用することができ、その結果、幼児等の使用者にシート体に表示された模様等を正確に伝達させることができる。
【００１６】
また、請求項６記載のトイレトレーニング用シートの収納体によれば、上述した請求項５記載の考案の効果に加え、シート体の表側が無地で、前記シート体の裏側は、文字、図形、記号、模様又はこれらを組み合わせた表示がなされ、前記シート体の外形形状は、使用者から見て上下非対称の図形であり、前記シート体の表側の上下の区別を示すために、収納体に前記シート体の表側の上下の区別を示す表示を施したため、シート体を適正な位置に置いて使用することができ、その結果、幼児等の使用者にシート体に表示された模様等を正確に伝達させることができる。
【図面の簡単な説明】
【００１７】
【図１】図１は、本考案の一実施例のトイレトレーニング用シートの収納体からトイレトレーニング用シートが取り出された状態を示す概略的斜視図である。
【図２】図２は、図１の概略的断面図である。
【図３】図３は、図１のトイレトレーニング用シートの収納体に収納されるトイレトレーニング用シートの概略的図である。
【図４】図４は、図３の一部を拡大して示す概略的一部拡大図である。
【図５】図５は、図４の５ー５の概略的断面図である。
【図６】図６は、図１のトイレトレーニング用シートの収納体の背面側の一部を拡大して示す概略的一部拡大図である。
【図７】図７（ａ）は、液体をかける状態の概略的図であり、（ｂ）は、液体をかけた状態の概略的図である。
【図８】図８は、図１のトイレトレーニング用シートと異なる他の実施例のトイレトレーニング用シートの概略的図である。
【図９】図９は、図８のトイレトレーニング用シートと異なる他の実施例のトイレトレーニング用シートの概略的図である。
【考案を実施するための形態】
【００１８】
本考案の一実施例のトイレトレーニング用シート及びトイレトレーニング用シートの収納体を図面を参照して説明する。
図１に示すＰは、トイレトレーニング用シートを収納する収納体で、この収納体Ｐには、複数のシート体１を容易に切断可能な連結部１ａを介して接続されたトイレトレーニング用シートが折り曲げられて積層された状態で収納されている（図２参照）。連結部１ａは、例えば、切り取りミシン目である。
また、収納体Ｐには、トイレトレーニング用シートを取り出す開口部２が設けられている。
【００１９】
シート体１は、文字、図形、記号、模様又はこれらを組み合わせて表示された表示部を有する水溶解性のシート１Ａと、この水溶解性のシート１Ａの表示部を覆う水溶解性の薄葉紙１Ｂとを備え、シート体１は、使用者から見て上下非対称の図形、例えば、平面視、台形形状をなしている（図４及び図５参照）。
また、シート体１の表側の上下の区別を示すために、収納体Ｐにシート体１の表側の上下の区別を示す表示を施している。具体的には、シート体１の表側が無地（より具体的には、無地の白色）、シート体１の裏側が文字、図形、記号、模様又はこれらを組み合わせた表示（図示せず）がなされている。本実施例の場合、図６に示すように、収納体Ｐの背面側に、「白い面を上にして置いてください。」の文言と、図１の状態で切り取られたシート体１の台形状部材の上底が上、下底が下になるようにした使用例１、２、３（図６参照）により、シート体１を適正な位置に置いて使用することができる。
その結果、幼児等の使用者にシート体１に表示された模様等（本実施例では、Ａの文字）を正確に伝達させることができる。
【００２０】
従って、図６に示すように、薄葉紙１Ｂが上面になるように置いてシート体１を使用して、おしっこをすれば、水溶解性のシート１Ａの表示部が見えない状態[図７（ａ）］から、見える状態［図７（ｂ）］となる。
また、複数のシート体１の内、前記表示部で表示された表示形態の種類は、第１の表示形態、・・・・第Ｎの表示形態のＮ（Ｎ≧２）種類の表示形態を有している。本実施例では、Ａ、Ｂ、Ｃ、Ｄの４種類となっている。
本実施例の表示形態は、４種類となっているが、本考案にあっては、これに限らず、、少なくとも、第１の表示形態と第２の表示形態の２種類の表示形態を有すれば良い。
また、本実施例の表示形態は、Ａ、Ｂ、Ｃ、Ｄとなっているが、本考案にあっては、これに限らず、例えば、犬、猫、パンダでも良く、要は、文字、図形、記号、模様又はこれらを組み合わせて表示されたものであれば良い。
【００２１】
そして、連結部１ａを介して接続された複数のシート体１、１・・・の配列は、図３に示すように、Ａの表示形態を有したシート体１、Ｂの表示形態を有したシート体１、Ｃの表示形態を有したシート体１、Ｄの表示形態を有したシート体１、  Ａの表示形態を有したシート体１、Ｂの表示形態を有したシート体１、Ｃの表示形態を有したシート体１、Ｄの表示形態を有したシート体１、・・・・・の繰り返しで接続されている。
つまり、第１の表示形態を有する前記シート体１、・・・・第Ｎの表示形態を有するシート体１、前記第１の表示形態を有するシート体１、・・・・前記第Ｎの表示形態を有するシート体１、前記第１の表示形態を有するシート体１、・・・・前記第Ｎの表示形態を有するシート体１、・・・の繰り返しで接続されている。
【００２２】
従って、上述のトイレトレーニング用シートによれば、複数のシート体１を容易に切断可能な連結部１ａを介して接続されたトイレトレーニング用シートであって、シート体１は、文字、図形、記号、模様又はこれらを組み合わせて表示された表示部を有する水溶解性のシート１Ａと、この水溶解性のシート１Ａの前記表示部を覆う水溶解性の薄葉紙１Ｂとを備えており、複数のシート体１、１、・・・の内、前記表示部で表示された表示形態の種類は、第１の表示形態、・・・・第Ｎの表示形態のＮ（Ｎ≧２）種類の表示形態を有しているため、シート体１の薄葉紙１Ｂが濡れると、表示部に表示された内容が表れ、該内容はＮ（Ｎ≧２）種類あり、マンネリ化せず、使用者の興味をそそり、おむつ離れのトイレトレーニングを良好にし、しかも、連結部１ａを介して接続された複数のシート体１、１、・・・の配列は、第１の表示形態を有するシート体１、・・・・第Ｎの表示形態２の表示形態を有するシート体１、第１の表示形態を有するシート体１、・・・・第Ｎの表示形態を有するシート体１、・・・の繰り返しで接続されているため、順次、連結部１ａを切り離して使用すれば、同じものが連続せず、使用者の興味の低下を防いで、おむつ離れのトイレトレーニングを良好にし、更に、連結部１ａを介して接続された複数のシート体１、１、・・・の配列は、第１の表示形態を有するシート体１、・・・・第Ｎの表示形態２の表示形態を有するシート体１、第１の表示形態を有するシート体１、・・・・第Ｎの表示形態を有するシート体１、・・・の繰り返しで接続されているため、トイレトレーニング用シートを供給する側にとって、第１の表示形態を有するシート体１の枚数と、・・・・第Ｎの表示形態を有するシート体１の枚数とを間違えて供給することを防ぐことができる。
【００２３】
なお、上述した実施例において、シート体１の外形形状は、台形形状をなしているが、本考案にあっては、これに限らず、シート体１の外形形状は、使用者から見て上下非対称の図形であれば良く、例えば、図８、図９記載のシート体１でも良い。
【符号の説明】
【００２４】
１      シート体
１Ａ    水溶解性のシート
１Ｂ    水溶解性の薄葉紙
１ａ    連結部
【図１】
0003151885.tif 000003
【図２】
0003151885.tif 000004
【図３】
0003151885.tif 000005
【図４】
0003151885.tif 000006
【図５】
0003151885.tif 000007
【図６】
0003151885.tif 000008
【図７】
0003151885.tif 000009
【図８】
0003151885.tif 000010
【図９】
0003151885.tif 000011